【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
コンテンツを記憶する記憶部と、前記コンテンツを作成する作成部と、前記コンテンツの再生を行う再生部とを有する情報処理装置において、
前記記憶部は、再生対象となる著作物データと、一次著作物コンテンツを引用した前記著作物データ内の引用領域を示す引用領域情報と、前記引用した一次著作物コンテンツを示す引用著作物識別情報と、を含むｎ次著作物コンテンツ（ｎは２以上の整数）を記憶しており、
前記再生部は、前記ｎ次著作物コンテンツを再生する場合に、前記引用著作物識別情報に基づいて前記引用領域にかかる一次著作物コンテンツの利用可否を調査し、当該利用可否に基づいて前記引用領域の再生可否を判断して再生し、
前記作成部は、第一のｎ次著作物コンテンツを引用して第二のｎ次著作物コンテンツを作成する場合に、第一のｎ次著作物コンテンツ内で前記一次著作物コンテンツを引用する第一の引用領域の内及び外にあり前記第一のｎ次著作物コンテンツの引用される範囲に含まれる著作物データを、前記第二のｎ次著作物コンテンツの著作物データに記憶するとともに、前記引用される範囲に含まれ前記一次著作物コンテンツを引用する第一の引用領域の前記第二のｎ次著作物コンテンツ内での領域を示す第二の引用領域情報と、前記引用領域にかかる前記引用著作物識別情報とを対応付けて、前記第二のｎ次著作物コンテンツに記憶する
ことを特徴とする情報処理装置。
【請求項２】
請求項１に記載の情報処理装置であって、
前記一次著作物コンテンツの利用可否の調査には、前記一次著作物コンテンツの存在、利用期限またはアクセス権を用いることを特徴とする情報処理装置。
【請求項３】
コンテンツを記憶する記憶部と、前記コンテンツを作成する作成部と、前記コンテンツの再生を行う再生部とを用いて行う情報処理方法において、
前記記憶部は、再生対象となる著作物データと、一次著作物コンテンツを引用した前記著作物データ内の引用領域を示す引用領域情報と、前記引用した一次著作物コンテンツを示す引用著作物識別情報と、を含むｎ次著作物コンテンツ（ｎは２以上の整数）を記憶しており、
前記再生部が、前記ｎ次著作物コンテンツを再生する場合に、前記引用著作物識別情報に基づいて前記引用領域にかかる一次著作物コンテンツの利用可否を調査し、当該利用可否に基づいて前記引用領域の再生可否を判断して再生するコンテンツ再生工程と、
前記作成部が、第一のｎ次著作物コンテンツを引用して第二のｎ次著作物コンテンツを作成する場合に、第一のｎ次著作物コンテンツ内で前記一次著作物コンテンツを引用する第一の引用領域の内及び外にあり前記第一のｎ次著作物コンテンツの引用される範囲に含まれる著作物データを、前記第二のｎ次著作物コンテンツの著作物データに記憶するとともに、前記引用される範囲に含まれ前記一次著作物コンテンツを引用する第一の引用領域の前記第二のｎ次著作物コンテンツ内での領域を示す第二の引用領域情報と、前記引用領域にかかる前記引用著作物識別情報とを対応付けて、前記第二のｎ次著作物コンテンツに記憶するコンテンツ作成工程と、
を行うことを特徴とする情報処理方法。
【手続補正２】
【補正対象書類名】明細書
【補正対象項目名】発明の名称
【補正方法】変更
【補正の内容】
【発明の名称】情報処理装置および情報処理方法
【手続補正３】
【補正対象書類名】明細書
【補正対象項目名】０００８
【補正方法】変更
【補正の内容】
【０００８】
本願において開示される発明の一側面となる情報処理装置および情報処理方法は、コンテンツを記憶する記憶部と、前記コンテンツを作成する作成部と、前記コンテンツの再生を行う再生部とを有する情報処理装置および情報処理方法において、前記記憶部は、再生対象となる著作物データと、一次著作物コンテンツを引用した前記著作物データ内の引用領域を示す引用領域情報と、前記引用した一次著作物コンテンツを示す引用著作物識別情報と、を含むｎ次著作物コンテンツ（ｎは２以上の整数）を記憶しており、前記再生部は、前記ｎ次著作物コンテンツを再生する場合に、前記引用著作物識別情報に基づいて前記引用領域にかかる一次著作物コンテンツの利用可否を調査し、当該利用可否に基づいて前記引用領域の再生可否を判断して再生し、前記作成部は、第一のｎ次著作物コンテンツを引用して第二のｎ次著作物コンテンツを作成する場合に、第一のｎ次著作物コンテンツ内で前記一次著作物コンテンツを引用する第一の引用領域の内及び外にあり前記第一のｎ次著作物コンテンツの引用される範囲に含まれる著作物データを、前記第二のｎ次著作物コンテンツの著作物データに記憶するとともに、前記引用される範囲に含まれ前記一次著作物コンテンツを引用する第一の引用領域の前記第二のｎ次著作物コンテンツ内での領域を示す第二の引用領域情報と、前記引用領域にかかる前記引用著作物識別情報とを対応付けて、前記第二のｎ次著作物コンテンツに記憶することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００７４
【補正方法】変更
【補正の内容】
【００７４】
また、１次著作物コンテンツ内の選択範囲内に複数の著作物データが含まれている場合、著作物データの各々に上述した設定をおこなうことができる。すなわち、複数の著作物データを別々にコピー（カットまたは画面キャプチャ）＆ペーストする必要がないため、利便性の向上を図ることができる。
（付記１）  また、情報処理装置は、プログラムを実行するプロセッサと、前記プログラムを記憶する記憶デバイスと、を有する情報処理装置であって、前記記憶デバイスは、固有の識別子を有する１次著作物コンテンツ内の著作物データを有する特定の著作物コンテンツを記憶し、前記プロセッサは、前記著作物データを前記特定の著作物コンテンツから取得する第１のイベントを検出する第１の検出処理と、前記第１の検出処理によって前記第１のイベントが検出された場合、前記著作物データおよび前記識別子を取得する取得処理と、前記情報処理装置で作成中または編集中のデータに前記著作物データを設定する第２のイベントを検出する第２の検出処理と、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付ける関連付け処理と、を実行することとしてもよい。
（付記２）  付記１の情報処理装置において、前記特定の著作物コンテンツは、前記１次著作物コンテンツではないｎ次（ｎは２以上の整数）著作物コンテンツであり、前記第１の検出処理では、前記プロセッサは、前記著作物データおよび前記特定の著作物コンテンツ内の非著作物データを、前記特定の著作物コンテンツから取得する第１のイベントを検出し、前記情報処理装置で作成中または編集中のデータに前記著作物データおよび前記非著作物データを設定する第２のイベントを検出する第２の検出処理と、前記関連付け処理では、前記プロセッサは、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付けることとしてもよい。
（付記３）  付記１の情報処理装置において、前記第１の検出処理では、前記プロセッサは、複数の前記著作物データを前記特定の著作物コンテンツから取得する第１のイベントを検出し、前記関連付け処理では、前記プロセッサは、前記作成中または編集中のデータに設定された前記複数の著作物データの各々について、前記識別子と前記作成中または編集中のデータ上での前記著作物データの設定位置情報とを関連付けることとしてもよい。
（付記４）  また、情報処理装置は、プログラムを実行するプロセッサと、前記プログラムを記憶する記憶デバイスと、を有する情報処理装置であって、前記記憶デバイスは、固有の識別子を有する１次著作物コンテンツと、前記１次著作物コンテンツ内の著作物データおよび前記識別子を有するｎ次（ｎは２以上の整数）著作物コンテンツと、のうち少なくとも前記ｎ次著作物コンテンツを記憶し、前記プロセッサは、前記ｎ次著作物コンテンツを再生対象として選択する選択処理と、前記選択処理によって選択された前記ｎ次著作物コンテンツから、前記識別子を取得する取得処理と、前記取得処理によって取得された識別子に一致する識別子を有する１次著作物コンテンツが前記記憶デバイスに有効に存在するか否かを判断する判断処理と、前記判断処理によって有効に存在しないと判断された識別子に関連付けられている著作物データを再生禁止に設定する設定処理と、前記ｎ次著作物コンテンツのうち、前記設定処理によって再生禁止に設定された著作物データ以外のデータを再生する再生処理と、を実行することとしてもよい。
（付記５）  付記４の情報処理装置において、前記判断処理では、前記プロセッサは、前記一致する識別子を有する１次著作物コンテンツが前記記憶デバイスから消去されている場合、前記１次著作物コンテンツの利用期間が満了している場合、または、前記情報処理装置の利用者に前記１次著作物コンテンツへのアクセス権限がない場合に、前記記憶デバイスに有効に存在しないと判断することとしてもよい。
（付記６）  また、プログラムを実行するプロセッサと、前記プログラムを記憶する記憶デバイスと、を有する情報処理装置による設定方法では、前記記憶デバイスは、固有の識別子を有する１次著作物コンテンツ内の著作物データを有する特定の著作物コンテンツを記憶し、前記プロセッサは、前記著作物データを前記特定の著作物コンテンツから取得する第１のイベントを検出する第１の検出処理と、前記第１の検出処理によって前記第１のイベントが検出された場合、前記著作物データおよび前記識別子を取得する取得処理と、前記情報処理装置で作成中または編集中のデータに前記著作物データを設定する第２のイベントを検出する第２の検出処理と、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付ける関連付け処理と、を実行することとしてもよい。
（付記７）  また、プログラムを実行するプロセッサと、前記プログラムを記憶する記憶デバイスと、を有する情報処理装置による再生方法では、前記記憶デバイスは、固有の識別子を有する１次著作物コンテンツと、前記１次著作物コンテンツ内の著作物データおよび前記識別子を有するｎ次著作物コンテンツと、のうち少なくとも前記ｎ次著作物コンテンツを記憶し、前記プロセッサは、前記ｎ次著作物コンテンツを再生対象として選択する選択処理と、前記選択処理によって選択された前記ｎ次著作物コンテンツから、前記識別子を取得する取得処理と、前記取得処理によって取得された識別子に一致する識別子を有する１次著作物コンテンツが前記記憶デバイスに有効に存在するか否かを判断する判断処理と、前記判断処理によって有効に存在しないと判断された識別子に関連付けられている著作物データを再生禁止に設定する設定処理と、前記ｎ次著作物コンテンツのうち、前記設定処理によって再生禁止に設定された著作物データ以外のデータを再生する再生処理と、を実行することとしてもよい。
（付記８）  また、設定プログラムは、固有の識別子を有する１次著作物コンテンツ内の著作物データを有する特定の著作物コンテンツを記憶する記憶デバイスにアクセス可能なプロセッサに、前記著作物データを前記特定の著作物コンテンツから取得する第１のイベントを検出する第１の検出処理と、前記第１の検出処理によって前記第１のイベントが検出された場合、前記著作物データおよび前記識別子を取得する取得処理と、作成中または編集中のデータに前記著作物データを設定する第２のイベントを検出する第２の検出処理と、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付ける関連付け処理と、を実行させることとしてもよい。
（付記９）  また、再生プログラムは、固有の識別子を有する１次著作物コンテンツと、前記１次著作物コンテンツ内の著作物データおよび前記識別子を有するｎ次著作物コンテンツと、のうち少なくとも前記ｎ次著作物コンテンツを記憶する記憶デバイスにアクセス可能なプロセッサに、前記ｎ次著作物コンテンツを再生対象として選択する選択処理と、前記選択処理によって選択された前記ｎ次著作物コンテンツから、前記識別子を取得する取得処理と、前記取得処理によって取得された識別子に一致する識別子を有する１次著作物コンテンツが前記記憶デバイスに有効に存在するか否かを判断する判断処理と、前記判断処理によって有効に存在しないと判断された識別子に関連付けられている著作物データを再生禁止に設定する設定処理と、前記ｎ次著作物コンテンツのうち、前記設定処理によって再生禁止に設定された著作物データ以外のデータを再生する再生処理と、を実行させることとしてもよい。